(57)【要約】【課題】電線を発生源としたノイズによる通信障害が起きにくい情報分電盤用箱体を提供する。【解決手段】ベース体４に、電源コンセント２０から延びる電線を通すための第１の通線孔４１、４１・・と、情報機器３に接続される通信線を通すための第２の通線孔４２、４２とが設けられている。したがって、電線と通信線とを束ねたりすることなく別々の箇所から引き入れることができるため、従来と比べて電線を発生源としたノイズによる通信障害が起こりにくい。【選択図】図６
2018074038.tif 000002
【特許請求の範囲】
【請求項１】
情報機器が搭載されるベース体と、前記ベース体の前側を覆うように組み付けられるカバー体とを有し、前記ベース体に、前記情報機器の電源プラグを接続する電源コンセントが設置可能とされた情報分電盤用箱体であって、
前記ベース体に、前記電源コンセントから延びる電線を通すための第１の通線孔と、前記情報機器に接続される通信線を通すための第２の通線孔とが設けられていることを特徴とする情報分電盤用箱体。
【請求項２】
前記ベース体に、前記情報機器をネジ止めするための設置板が設けられている一方、
前記設置板の上方に、前記第１の通線孔が設けられているとともに、前記設置板の上方で、且つ、前記設置板と前記第１の通線孔との間に、前記第２の通線孔が設けられており、
さらに、前記第１の通線孔の前方に、前記電源コンセントを設置するためのコンセント設置部が設けられていることを特徴とする請求項１に記載の情報分電盤用箱体。
【発明の詳細な説明】
【技術分野】
【０００１】
本発明は、各種情報機器を収納した情報分電盤に使用される情報分電盤用箱体に関するものである。
【背景技術】
【０００２】
従来、情報分電盤に使用される情報分電盤用箱体としては、後側に配置されるベース体の前側をカバー体で覆ったものが知られている（特許文献１）。また、そのような情報分電盤用箱体には、電源プラグを接続するための電源コンセントが設けられているとともに、電源コンセントから延びる電線や情報機器に接続される通信線等といった各種ケーブルを通すための通線孔が設けられている。
【先行技術文献】
【特許文献】
【０００３】
【特許文献１】特開２０１３−１６５６４４号公報
【発明の概要】
【発明が解決しようとする課題】
【０００４】
しかしながら、従来は電線や通信線を区別することなく、種々のケーブルを纏めて通線孔から引き込む等していたため、電線がノイズ発生源となって通信に支障をきたすことがあるという問題があった。
【０００５】
そこで、本発明は、上記問題に鑑みなされたものであって、電線を発生源としたノイズによる通信障害が起きにくい情報分電盤用箱体を提供しようとするものである。
【課題を解決するための手段】
【０００６】
上記目的を達成するために、本発明のうち請求項１に記載の発明は、情報機器が搭載されるベース体と、前記ベース体の前側を覆うように組み付けられるカバー体とを有し、前記ベース体に、前記情報機器の電源プラグを接続する電源コンセントが設置可能とされた情報分電盤用箱体であって、前記ベース体に、前記電源コンセントから延びる電線を通すための第１の通線孔と、前記情報機器に接続される通信線を通すための第２の通線孔とが設けられていることを特徴とする。
請求項２に記載の発明は、請求項１に記載の発明において、前記ベース体に、前記情報機器をネジ止めするための設置板が設けられている一方、前記設置板の上方に、前記第１の通線孔が設けられているとともに、前記設置板の上方で、且つ、前記設置板と前記第１の通線孔との間に、前記第２の通線孔が設けられており、さらに、前記第１の通線孔の前方に、前記電源コンセントを設置するためのコンセント設置部が設けられていることを特徴とする。
【発明の効果】
【０００７】
本発明によれば、ベース体に、電源コンセントから延びる電線を通すための第１の通線孔と、情報機器に接続される通信線を通すための第２の通線孔とが設けられている。したがって、電線と通信線とを束ねたりすることなく別々の箇所から引き入れることができるため、従来と比べて電線を発生源としたノイズによる通信障害が起こりにくい。
また、請求項２に記載の発明によれば、ベース体に、情報機器をネジ止めするための設置板が設けられている一方、設置板の上方に、第１の通線孔が設けられているとともに、設置板の上方で、且つ、設置板と第１の通線孔との間に、第２の通線孔が設けられており、さらに、第１の通線孔の前方に、電源コンセントを設置するためのコンセント設置部が設けられている。つまり、機器設置スペースとなる設置板の表面とは異なる位置にコンセント設置部が設けられているため、電源コンセントを設けることで機器設置スペースに所謂デッドスペースが形成されず、ひいては機器設置スペースが狭くなることがない。また、たとえ電源コンセントに接続する電源プラグが大きかったとしても、第２の通線孔の前方空間を利用することで、電源プラグの機器設置スペースへの干渉を抑えることができ、使用者が望む配置態様で種々の情報機器を搭載することができる。
【図面の簡単な説明】
【０００８】
【図１】情報分電盤の外観を示した斜視説明図である。
【図２】情報機器が設置されたベース体を正面側から示した説明図である。
【図３】図２中のＡ−Ａ線断面を示した説明図である。
【図４】ベース体から１つの電源コンセントを取り外した状態を示した斜視説明図である。
【図５】ベース体に電源プラグを接続した状態を示した説明図であり、（ａ）は正面図、（ｂ）は斜視説明図である。
【図６】配線管とベース体との位置関係を示した説明図であり、（ａ）は正面図、（ｂ）はＢ−Ｂ線断面を示した説明図である。
【図７】ベース体に機器載置板を利用して情報機器を搭載した状態を示した説明図である。
【発明を実施するための形態】
【０００９】
以下、本発明の一実施形態となる情報分電盤用箱体（以下、箱体と称す）について、図面にもとづき詳細に説明する。
【００１０】
図１は、情報分電盤１の外観を示した斜視説明図である。図２は、情報機器３、３が設置されたベース体４を正面側から示した説明図である。図３は、図２中のＡ−Ａ線断面を示した説明図である。図４は、ベース体４から１つの電源コンセント２０を取り外した状態を示した斜視説明図である。図５は、ベース体４に電源プラグ２１を接続した状態を示した説明図であり、（ａ）は正面図、（ｂ）は斜視説明図である。図６は、配線管２７、２７・・とベース体４との位置関係を示した説明図であり、（ａ）は正面図、（ｂ）はＢ−Ｂ線断面を示した説明図である。
【００１１】
情報分電盤１は、箱体２内に情報機器３等を収納してなるものであって、箱体２は、情報機器３等が設置されるベース体４と、ベース体４の前側を覆うカバー体５とを備えている。カバー体５は、前面、左右両側面、及び上下両面を有して、後側に開口する箱状に形成されている。また、カバー体５の前面の左右両側には、前面から夫々隣り合う側面へ跨がるように把持部６、６が設けられている。さらに、カバー体５の上下両面には、箱体２内部を通気して、箱体２内部の熱を放熱させるための多数の通気孔７、７・・が穿設されている。なお、８は、ベース体４の外周縁に沿って前方へ立設された周壁部であり、ベース体４の強度向上を担っているとともに、当該周壁部８に、組み付けられたカバー体５を保持するための保持機構が設けられている。
【００１２】
一方、ベース体４は、前後方向が厚み方向となる板状に形成されており、その中央部には、表面に情報機器３、３・・をネジ止め可能な木製の設置板１１が備えられている。そして、この設置板１１の表面を含め、設置板１１の前側が情報機器３、３・・を設置するための機器設置スペースＳとされている。そして、以上のような箱体２を有する情報分電盤１は、ベース体４を壁面等に固定した上で、設置板１１の表面にネジ止めして、必要な情報機器３、３をベース体４に設置し、最後にベース体４の前側にカバー体５を組み付けることで組み立てられる。なお、９は、情報機器を設置するための設置フレーム体（図示せず）の一端を、上下方向を軸として回動可能に軸支する軸支部であり、１０は、設置フレーム体の他端を係止可能とした係止部である。
【００１３】
ここで、本発明の要部である電線及び通信線の引き入れに係る構造について説明する。
ベース体４の上縁部（すなわち、ベース体４における設置板１１よりも外方）には、主に電線を引き入れるための４つの第１の通線孔４１、４１・・と、４つのコンセント設置部１５、１５・・が設けられている。第１の通線孔４１は、ベース体４の上縁部に正面視矩形に開設されており、左右方向に所定の間隔をおいて並設されている。また、コンセント設置部１５は、第１の通線孔４１の左右から前方へ立設された一対の突起部である。各突起部の先端には、電源コンセント２０をネジ止めするためのネジ孔１６が穿設されている。また、各突起部は、図３及び図４に示すように、その先端面が周壁部８の先端面と略同じレベルとなるまで前方へ突出しており、第１の通線孔４１の前方にコンセント設置部１５が位置するようになっている。そして、このコンセント設置部１５は、各第１の通線孔４１毎に左右方向へ並べて設けられている。
【００１４】
また、ベース体４における設置板１１よりも上方で、設置板１１と第１の通線孔４１やコンセント設置部１５との間には、主に通信線を引き入れるための２つの第２の通線孔４２、４２が設けられている。この第２の通線孔４２、４２の前方空間には、ほぼ何も設けられていない。そして、第２の通線孔４２、４２を介して通信線を引き入れるにあたっては、図６に示すように通信線（図示せず）が配線された配線管２７、２７・・を、その先端がベース体４の後方から第２の通線孔４２、４２内へ差し込まれるように配設すればよい。
【００１５】
以上のような構成を有する箱体２によれば、ベース体４に、電源コンセント２０から延びる電線を通すための第１の通線孔４１、４１・・と、情報機器３に接続される通信線を通すための第２の通線孔４２、４２とが設けられている。したがって、電線と通信線とを束ねたりすることなく別々の箇所から引き入れることができるため、従来と比べて電線を発生源としたノイズによる通信障害が起こりにくい。
【００１６】
また、ベース体４における設置板１１よりも上方となる位置、すなわち設置板１１の表面や前側といった機器設置スペースＳ以外の箇所にコンセント設置部１５、１５・・を設けている。したがって、ベース体４に電源コンセント２０を設置した際、従来のように機器設置スペースＳに所謂デッドスペースが形成されず、ひいては機器設置スペースＳが狭くなることがない。
【００１７】
さらに、４箇所ものコンセント設置部１５、１５・・が設けられているため、収納する情報機器３、３の種類やそれらの配置態様等に応じて電源コンセント２０の設置位置を容易に変更することができるため、使い勝手が良い。
さらにまた、上下方向で設置板１１とコンセント設置部１５、１５・・との間となる位置に、第２の通線孔４２、４２を設けている。したがって、図５に示すように、大型の電源プラグ２１が電源コンセント２０に接続されたとしても、第２の通線孔４２の前方空間を利用することで、電源プラグ２１の機器設置スペースＳへの干渉を抑えることができ、使用者が望む配置態様で種々の情報機器を搭載することができる。
【００１８】
またさらに、ベース体４の外周縁に沿って、前方へ突出する周壁部８を設けるとともに、コンセント設置部１５、１５・・を、前後方向で周壁部８の先端面と同レベルとなる位置に設けているため、大型の電源プラグ２１を接続する際等に、第２の通線孔４２、４２の前方空間を利用しやすい。
加えて、コンセント設置部１５、１５・・の後方に、第１の通線孔４１、４１・・を設けているため、当該通線孔４１、４１・・を利用して電源コンセント２０から延びる電線（図示せず）をスムーズに引き出すことができる等、箱体２の使い勝手の更なる向上を図ることができる。
【００１９】
なお、本発明に係る箱体の構造は、上記実施形態の態様に何ら限定されるものではなく、ベース体における電源コンセントの設置構造等について、本発明の趣旨を逸脱しない範囲で、必要に応じて適宜変更することができる。
【００２０】
たとえば、ベース体におけるコンセント設置部の位置については、上記実施形態の数や位置に何ら限定されることはなく、適宜変更することができる。すなわち、ベース体における設置板よりも外方であればよく、たとえば設置板よりも下方であっても何ら問題はない。
また、上記実施形態では、複数のコンセント設置部を設けているが、コンセント設置部を１つしか設けないとしてもよい。
またさらに、上記実施形態では、第１の通線孔を主に電線用、第２の通線孔を主に通信線用としているが、どの通線孔にどのような種類のケーブルを通線させるかは言うまでもなく適宜変更可能である。
【００２１】
さらに、コンセント設置部と設置板との内外方向での間に通線孔を設けるか否かについても適宜変更設計可能であるし、コンセント設置部を前側へ突出した位置に設けずともよい。さらにまた、コンセント設置部を、前後方向で周壁部の先端面と同レベルまで、前側へ突出した位置に設けるにあたっては、たとえば周壁部と一体成形する（たとえば周壁部の先端面から下方へ突出するネジ止め片を設ける等）という構成を採用することも可能である。
加えて、ベース体に情報機器を搭載する構成として、設置板１１へのネジ止めのみならず、たとえば図７に示すようにベース体４に機器載置板３０を取り付け、その機器載置板３０上に情報機器３を載置するような構成を併せて持たせたとしても何ら問題はない。
【符号の説明】
【００２２】
１・・情報分電盤、２・・箱体（情報分電盤用箱体）、４・・ベース体、５・・カバー体、１１・・設置板、１５・・コンセント設置部、１６・・ネジ孔、２０・・電源コンセント、２１・・電源プラグ、４１・・第１の通線孔、４２・・第２の通線孔。
【図１】
2018074038.tif 000003
【図２】
2018074038.tif 000004
【図３】
2018074038.tif 000005
【図４】
2018074038.tif 000006
【図５】
2018074038.tif 000007
【図６】
2018074038.tif 000008
【図７】
2018074038.tif 000009